(57)【要約】【課題】メダル研磨装置によって研磨された後に払い出されたメダルを収納するメダル収納容器の収納部構造において、メダル収納容器から零れたメダルを収納部の床面から手前にかき出すことなく、メダル収納容器の収納動作に伴って収納部の床面からメダルを除去するようにしたメダル収納容器の収納部構造を提供する。【解決手段】メダル研磨装置による研磨後のメダルを上部タンクに貯蔵し、該上部タンクから払い出されるメダルを収納するメダル収納容器の収納部構造において、前記メダル研磨装置の筐体の側部に開口を有する収納部の床面と奥側の壁面との間に、前記床面上に横倒したメダルを通過し得る隙間が設けられ、該隙間を通過したメダルを前記収納部の内側に排出して下部タンクに収容するようにした。【選択図】図３
2006271824.tif 000002
【特許請求の範囲】
【請求項１】
メダル研磨装置による研磨後のメダルを上部タンクに貯蔵し、該上部タンクから払い出されるメダルを収納するメダル収納容器の収納部構造において、前記メダル研磨装置の筐体の側部に開口を有して設けられた収納部の床面と奥側の壁面との間に、前記床面上に横倒したメダルを通過し得る隙間が設けられ、該隙間を通過したメダルを前記収納部の内側に排出して下部タンクに収容するようにしたことを特徴とするメダル収納容器の収納部構造。
【請求項２】
前記収納部の隙間の下方に設けられた受け口を前記下部タンクに連絡することによって、前記隙間を通過したメダルを前記下部タンクに誘導するようにしたことを特徴とする請求項１記載のメダル収納容器の収納部構造。
【発明の詳細な説明】
【技術分野】
【０００１】
本発明は、スロットマシン等の遊技機で使用されたメダルを回収し、メダル研磨装置によって研磨された後に払い出されたメダルを収納するメダル収納容器の収納部構造に関する。
【背景技術】
【０００２】
従来、例えば、遊技場に設置されたスロットマシンで使用されるメダルは、各スロットマシンの横側に設置されたメダル貸機から貸し出され、スロットマシンで使用された後、研磨装置に搬送され、この研磨装置で磨かれたメダルを、作業員が、遊技機やメダル貸機に補給するようにしている。
【０００３】
このようなメダル研磨装置の従来例として特許文献１について説明すると、図８に示すように、一次タンク３１内に貯留されたメダルが下部送出機３２によってホッパー３３に投入され、リフター３４で揚送される。そして、シャッター装置３５の作動によって、二次タンク３６側が開放されると、メダルはシャッター装置３５から二次タンク３６へと落下し、振分け機３７でホッパー３８へと振り分けられた後、ジョッキ３９へと払い出される。
【特許文献１】特開２０００−２８８２３０公報
【発明の開示】
【発明が解決しようとする課題】
【０００４】
ところで、上記の構成において、ジョッキ３９は、メダル研磨装置３０の筐体の側部に開口を有する収納部４０に設置され、上方の二次タンク３６から払い出されたメダルをこのジョッキ３９に収納するものであるが、このときジョッキ３９から零れたメダルが収納部４０の床面に残ることがある。
【０００５】
ところが、上記のように収納部４０の床面にメダルが残った状態で次のジョッキを収納しようとすると、メダルが邪魔になってジョッキを収納することができないという不都合があった。これを解消するには、収納部内のメダルを除去する必要があるが、収納部内の奥側に残留したメダルを除去するには、狭所に手を入れて手前にかき出す必要があり、面倒な作業となっていた。
【０００６】
本発明は、上記の問題点を解消するためになされたもので、メダル研磨装置によって研磨された後に払い出されたメダルを収納するメダル収納容器の収納部構造において、メダル収納容器から零れたメダルを収納部の床面から手前にかき出すことなく、メダル収納容器の収納動作に伴って収納部の床面からメダルを除去するようにしたメダル収納容器の収納部構造を提供することを目的とする。
【課題を解決するための手段】
【０００７】
上記の問題を解決するために、本発明の請求項１におけるメダル収納容器の収納部構造は、メダル研磨装置による研磨後のメダルを上部タンクに貯蔵し、該上部タンクから払い出されるメダルを収納するメダル収納容器の収納部構造において、前記メダル研磨装置の筐体の側部に開口を有して設けられた収納部の床面と奥側の壁面との間に、前記床面上に横倒したメダルを通過し得る隙間が設けられ、該隙間を通過したメダルを前記収納部の内側に排出して下部タンクに収容するようにしたことを特徴とする。
【０００８】
また、本発明の請求項２におけるメダル収納容器の収納部構造は、請求項１において、前記収納部の隙間の下方に設けられた受け口を前記下部タンクに連絡することによって、前記隙間を通過したメダルを前記下部タンクに誘導するようにしたことを特徴とする。
【発明の効果】
【０００９】
本発明のメダル収納容器の収納部構造によれば、メダル研磨装置の筐体の側部に開口を有して設けられた収納部の床面と奥側の壁面との間に、床面上に横倒したメダルを通過し得る隙間が設けられているため、該隙間を通過したメダルを収納部の内側に排出して下部タンクに収容することが可能となる。
【００１０】
また、本発明においては、収納部の隙間の下方に設けられた受け口を下部タンクに連絡することによって、隙間を通過したメダルを下部タンクに誘導することができる。
【００１１】
このような構造により、収納部の床面の奥側にメダルが残っている場合、メダルを収納部の奥側へ手作業で押し込むことにより、メダルは奥側の隙間から排出され、下部タンクに収容される。従って、従来装置のように収納部のメダルを手前にかき出して処理するという面倒な作業が不要となり、収納部にメダル収納容器を収納する動作によって、自動的に、床面のメダルは奥側へ押し込まれて、奥側に設けられた隙間を通過し、収納部から除去されることとなる。
【発明を実施するための最良の形態】
【００１２】
以下、本発明の実施例について図面を参照しながら説明する。
【実施例１】
【００１３】
まず、メダル研磨装置全体の概略構成についてメダルの流れに併せて説明すると、図１に示すように、スロットマシン等の回収ライン（不図示）から送られてきたメダルは下部タンク１に投下され、この下部タンク１からメダル研磨機２へ搬送される。なお、下部タンク１がメダルで満杯になると、余剰のメダルはオーバーフロータンク３に蓄積される。
【００１４】
また、メダル研磨機２にて研磨材との混入及び撹拌により研磨が行われたメダルは、研磨材分離装置４を通過することによって研磨材との分離が行われ、この分離されたメダルは揚送リフト５によって上部タンク６に蓄積され、この上部タンク６から振分けられたメダルは左右に配したメダル収納容器Ａ、Ｂに供給される。
【００１５】
本実施例のメダル収納容器の収納部構造は、上記のように、メダル研磨機２による研磨後のメダルを上部タンク６に蓄積し、該上部タンク６からメダル収納容器Ａ、Ｂを経て払い出されるメダルを搬出するために、筐体７の左右の側部に開口８、８を有する収納部９、９が設けられている。
【００１６】
なお、本実施例においては、筐体７の左右略対称にメダル収納容器Ａ、Ｂを収納するための収納部９、９を設けてあるが、両方の収納部９、９ではなく、片方のみの構成にしてもよい。以下の説明においては、一方の収納部９に収納容器Ａを収納するという趣旨で説明してあるが、それは他方の収納部９においてメダル収納容器Ｂを収納する構造と同様の趣旨である。
【００１７】
上記の構成において、収納部９の床面１０と奥側の壁面１１との間に、床面１０上に横倒されたメダルM（図６参照）の一枚分以上の厚さを通過し得る隙間１２が設けられ、該隙間１２を通過したメダルMを収納部９から内側に排出して、下部タンク１に収容することができるようにしている。
【００１８】
このような構成についてより詳細に述べると、左右の収納部９、９は、図５に示すように一側に開口を有する縦長の収納部ケース２０の下部に通常使用する収納部９を設け、上下の略中間に載置台２１を設けることによって、その上方に上方収納部１３が設けられ、この上方収納部１３に、次に使用する空のメダル収納容器を設置しておくことができる。
【００１９】
また、メダル収納容器の収納部９は、図５に示すように、縦長の空室を有し、その奥側の壁面１１には、メダル収納容器検出センサ１４と上下のメダル検出センサ１５ａ、１５ｂが開口８側に突出するように配設されている。
【００２０】
なお、図７に示すように、メダル収納容器検出センサ１４は、近傍に金属が存在することを非接触で検出する近接センサであり、金属製のメダル収納容器Ａの有無を検知できるようにされている。また、メダル検出センサ１５ａ、１５ｂは、メダル収納容器Ａの上下位置に形成された貫通穴１６ａ、１６ｂを通ってメダル収納容器Ａ内に突出し、２つのメダル検出センサ１５ａ、１５ｂ間がメダルＭを介して短絡状態になったか否かを電気的に検知することにより、メダル収納容器ＡのメダルＭの蓄積量を検知することが可能とされている。
【００２１】
なお、上記のように、メダル収納容器Ａの貫通穴１６ａ、１６ｂに収納部９のメダル検出センサ１５ａ、１５ｂを挿通するためにも、収納部９の床面１０にメダルＭを残留させないことが肝要である。仮に、収納部Ａの床面１０にメダルＭが残留した場合、その上にメダル収納容器Ａを置くと、収納部９のメダル検出センサ１５ａ、１５ｂに、メダル収納容器Ａの貫通穴１６ａ、１６ｂが挿通されない事態も生ずるからである。
【００２２】
本実施例においては、図５に示すように、収納部９の床面１０と奥側の壁面１１との間に隙間１２が設けられている。この隙間１２は、図６に示すように、床面１０上に横倒されたメダルMの一枚分以上の厚さを通過し得る程度の間隙であり、その隙間１２を通過したメダルＭを下部タンク１に誘導するように、隙間１２の下方位置には、下部タンク１の縁部に形成された受け口１７が設けられ、この受け口１７でメダルＭを受けて、下部タンク１に誘導することができる。
【００２３】
なお、他方の収納部９の隙間１２の下方には、上記の受け口１７が設けられていないが、他の装置の配置との関係から、下部タンク１を外側に張り出す構造（張出し部１８）とすることができ、これによって収納部９の隙間１２の全幅を下部タンク１の張出し部１８で受けることができる構成とされている。
【００２４】
さらに、本実施例においては、図５又は図７に示すように、収納部９の床面１０の開口８側に、該開口８の全幅にわたる突起状の仕切１９が設けられた構成としてあり、これによって床面１０の上に残ったメダルが手前の開口８から落下しないようにしている。
【００２５】
上記の構成により、床面１０にメダルＭが残留した状態の収納部９にメダル収納容器Ａを置いたとき、このメダル収納容器Ａを開口８側から床面１０に接触させながら奥側へ収納する動作によって床面１０上に残留したメダルＭは押し込まれ、奥側の隙間１２を通過して落下し、受け口１７を経て下部タンク１に排出され、この下部タンク１からメダル研磨機２へと搬送される。
【産業上の利用可能性】
【００２６】
本発明のメダル収納容器の収納部構造は、メダル収納容器から零れたメダルを収納部の床面から手前にかき出すことなく、メダル収納容器の収納動作に伴って収納部の床面から奥側に押し込むことによって、自動的に、収納部内のメダルを除去するようにしたメダル収納容器の収納部構造として利用することが可能である。
【図面の簡単な説明】
【００２７】
【図１】本発明によるメダル収納容器の収納部構造を内蔵したメダル研磨装置の内部構造を示す斜視図である。
【図２】本発明によるメダル収納容器の収納部構造を内蔵したメダル研磨装置の全体外観図である。
【図３】本発明によるメダル収納容器の収納部構造を内蔵したメダル研磨装置の収納部側の内部構造を示す斜視図である。
【図４】本発明によるメダル収納容器の収納部構造を内蔵したメダル研磨装置の収納部側の内部構造を示す側方図である。
【図５】本発明によるメダル収納容器の収納部構造における収納部ケース全体を開口側から見た斜視図である。
【図６】本発明によるメダル収納容器の収納部構造における部分拡大斜視図である。
【図７】本発明によるメダル収納容器の収納部構造における部分側方図である。
【図８】特許文献１のメダル研磨装置に関する概略図である。
【符号の説明】
【００２８】
Ａ、Ｂ  メダル収納容器
Ｍ  メダル
１  下部タンク
２  メダル研磨機
３  オーバーフロータンク
４  研磨材分離装置
５  揚送リフト
６  上部タンク
７  筐体
８  開口
９  収納部
１０  床面
１１  壁面
１２  隙間
１３  上方収納部
１４  メダル収納容器検出センサ
１５ａ、１５ｂ  メダル検出センサ
１６ａ、１６ｂ  貫通穴
１７  受け口
１８  張出し部
１９  仕切
２０  収納部ケース
２１  載置台
【図１】
2006271824.tif 000003
【図２】
2006271824.tif 000004
【図３】
2006271824.tif 000005
【図４】
2006271824.tif 000006
【図５】
2006271824.tif 000007
【図６】
2006271824.tif 000008
【図７】
2006271824.tif 000009
【図８】
2006271824.tif 000010